(57)【要約】【課題】送風機として使用した際に強い風を送ることができ、且つ電動送風機の温度上昇を抑制できる電気掃除機を提供する。【解決手段】電気掃除機１は、吸い込み口１７が形成されたホース接続部１１及び吹き出し口１９が形成されたホース接続部１３を備える。制御部３２は、ホース５がホース接続部１３に接続されていることが接続検出部３０によって検出されると、第１電力及び第１電力より低い第２電力で電動送風機１４を駆動させる。制御部３２は、第１電力で電動送風機１４を第１時間連続して駆動させると、第２電力で電動送風機１４を駆動させる。【選択図】図５
2017185094.tif 000002
【特許請求の範囲】
【請求項１】
吸い込み口が形成され、ホースを接続可能な第１接続部と、
吹き出し口が形成され、前記ホースを接続可能な第２接続部と、
前記ホースが前記第２接続部に接続されていることを検出する接続検出手段と、
前記吸い込み口から吸い込まれた空気を前記吹き出し口から吹き出させるための気流を発生させる電動送風機と、
前記ホースが前記第２接続部に接続されていることが前記接続検出手段によって検出されると、第１電力及び前記第１電力より低い第２電力で前記電動送風機を駆動させる制御手段と、
を備え、
前記制御手段は、前記第１電力で前記電動送風機を第１時間連続して駆動させると、前記第２電力で前記電動送風機を駆動させる電気掃除機。
【請求項２】
前記制御手段は、前記第１電力で前記電動送風機を前記第１時間連続して駆動させると、第２時間が経過するまで前記第１電力で前記電動送風機を駆動させない請求項１に記載の電気掃除機。
【請求項３】
前記制御手段は、前記第１電力で前記電動送風機を前記第１時間連続して駆動させた後に前記第２時間が経過すると、前記第１電力で前記電動送風機を駆動させることが可能な旨を表示器に表示させる請求項２に記載の電気掃除機。
【請求項４】
吸い込み口が形成され、ホースを接続可能な第１接続部と、
吹き出し口が形成され、前記ホースを接続可能な第２接続部と、
前記ホースが前記第２接続部に接続されていることを検出する接続検出手段と、
前記吸い込み口から吸い込まれた空気を前記吹き出し口から吹き出させるための気流を発生させる電動送風機と、
前記ホースが前記第２接続部に接続されていることが前記接続検出手段によって検出されると、第１電力及び前記第１電力より低い第２電力で前記電動送風機を駆動させる制御手段と、
前記第１電力で前記電動送風機が駆動された累積時間を計測する計測手段と、
を備え、
前記制御手段は、前記計測手段によって計測された累積時間が基準時間を超えると、前記第２電力で前記電動送風機を駆動させる電気掃除機。
【請求項５】
前記制御手段は、前記計測手段によって計測された累積時間が前記基準時間を超えると、前記第１電力で前記電動送風機を駆動させることができない旨を表示器に表示させる請求項４に記載の電気掃除機。
【請求項６】
前記第２電力で前記電動送風機が駆動された時間に応じて、前記計測手段によって計測された累積時間を補正する第１補正手段を更に備えた請求項４又は請求項５に記載の電気掃除機。
【請求項７】
前記電動送風機の温度を検出する温度検出手段と、
前記温度検出手段によって検出された温度に基づいて前記基準時間を補正する第２補正手段と、
を更に備えた請求項４から請求項６の何れか一項に記載の電気掃除機。
【請求項８】
前記制御手段は、前記第１電力で前記電動送風機を駆動させることが可能な時間を表示器に表示させる請求項４から請求項７の何れか一項に記載の電気掃除機。
【請求項９】
前記第１電力で前記電動送風機を連続して駆動させる時間を複数の中から選択可能な操作パネルを更に備えた請求項４から請求項８の何れか一項に記載の電気掃除機。
【請求項１０】
前記接続検出手段は、前記ホースが前記第１接続部に接続されていることを検出し、
前記制御手段は、前記ホースが前記第１接続部に接続されていることが前記接続検出手段によって検出されると、第３電力で前記電動送風機を駆動させ、
前記第３電力は、前記第１電力より低い電力である
請求項１から請求項９の何れか一項に記載の電気掃除機。
【請求項１１】
前記制御手段は、前記ホースが前記第２接続部に接続されていることが前記接続検出手段によって検出されない場合は、第３電力で前記電動送風機を駆動させ、
前記第３電力は、前記第１電力より低い電力である
請求項１から請求項９の何れか一項に記載の電気掃除機。
【発明の詳細な説明】
【技術分野】
【０００１】
この発明は、電気掃除機に関する。
【背景技術】
【０００２】
特許文献１に電気掃除機が記載されている。特許文献１に記載された電気掃除機は、排気口にブロワホースが接続される。ブロワホースから吹き出される風によってごみを吹き飛ばすことができる。
【先行技術文献】
【特許文献】
【０００３】
【特許文献１】実開平１−１４９７５５号公報
【発明の概要】
【発明が解決しようとする課題】
【０００４】
電気掃除機を送風機として使用する場合、電動送風機の温度が過度に高くなるため、強い風を得ることができないといった問題があった。
【０００５】
この発明は、上述のような課題を解決するためになされた。この発明の目的は、送風機として使用した際に強い風を送ることができ、且つ電動送風機の温度上昇を抑制できる電気掃除機を提供することである。
【課題を解決するための手段】
【０００６】
この発明に係る電気掃除機は、吸い込み口が形成され、ホースを接続可能な第１接続部と、吹き出し口が形成され、ホースを接続可能な第２接続部と、ホースが第２接続部に接続されていることを検出する接続検出手段と、吸い込み口から吸い込まれた空気を吹き出し口から吹き出させるための気流を発生させる電動送風機と、ホースが第２接続部に接続されていることが接続検出手段によって検出されると、第１電力及び第１電力より低い第２電力で電動送風機を駆動させる制御手段と、を備える。制御手段は、第１電力で電動送風機を第１時間連続して駆動させると、第２電力で電動送風機を駆動させる。
【０００７】
この発明に係る電気掃除機は、吸い込み口が形成され、ホースを接続可能な第１接続部と、吹き出し口が形成され、ホースを接続可能な第２接続部と、ホースが第２接続部に接続されていることを検出する接続検出手段と、吸い込み口から吸い込まれた空気を吹き出し口から吹き出させるための気流を発生させる電動送風機と、ホースが第２接続部に接続されていることが接続検出手段によって検出されると、第１電力及び第１電力より低い第２電力で電動送風機を駆動させる制御手段と、第１電力で電動送風機が駆動された累積時間を計測する計測手段と、を備える。制御手段は、計測手段によって計測された累積時間が基準時間を超えると、第２電力で電動送風機を駆動させる。
【発明の効果】
【０００８】
この発明に係る電気掃除機は、ホースが第２接続部に接続されていることが接続検出手段によって検出されると、第１電力及び第１電力より低い第２電力で電動送風機を駆動させる制御手段を備える。制御手段は、第１電力で電動送風機を第１時間連続して駆動させると、第２電力で電動送風機を駆動させる。この発明に係る電気掃除機であれば、送風機として使用した際に強い風を送ることができ、且つ電動送風機の温度上昇を抑制できる。
【図面の簡単な説明】
【０００９】
【図１】この発明の実施の形態１における電気掃除機の例を示す図である。
【図２】本体の斜視図である。
【図３】本体の平面図である。
【図４】本体の背面図である。
【図５】電気掃除機の構成例を示す図である。
【図６】ホースをホース接続部に接続した状態を示す。
【図７】この発明の実施の形態１における電気掃除機の動作例を示すフローチャートである。
【図８】この発明の実施の形態２における電気掃除機の動作例を示すフローチャートである。
【図９】この発明の実施の形態３における電気掃除機の構成例を示す図である。
【図１０】計測部によって計測された累積時間の補正例を示すフローチャートである。
【図１１】この発明の実施の形態４における電気掃除機の構成例を示す図である。
【図１２】表示器の表示例を示す図である。
【図１３】操作パネルの例を示す図である。
【図１４】制御装置のハードウェア構成を示す図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、この発明の実施の形態１における電気掃除機１の例を示す図である。電気掃除機１は、例えばヘッド２、延長管３、操作体４、ホース５及び本体６を備える。ヘッド２に、下向きの開口が形成される。ヘッド２は、延長管３の一方の端部に接続される。ヘッド２は、延長管３に対して着脱可能である。
【００１２】
操作体４は、ハンドル７と操作パネル８とを備える。ハンドル７は、利用者が掃除を行う際に掴む部分である。利用者は、ハンドル７を掴んだ手で操作パネル８を操作する。操作体４は、延長管３の他方の端部に接続される。延長管３は、操作体４に対して着脱可能である。また、操作体４に、ホース５の一方の端部が接続される。ホース５の他方の端部は、本体６に接続される。
【００１３】
図２は、本体６の斜視図である。図３は、本体６の平面図である。図４は、本体６の背面図である。図５は、電気掃除機１の構成例を示す図である。図５は、電気掃除機１の電気的な接続例を示す。本体６は、集塵ユニット９及び本体ユニット１０を備える。
【００１４】
集塵ユニット９は、本体ユニット１０に支持される。集塵ユニット９は、例えばホース接続部１１及び集塵部１２を備える。本体ユニット１０は、例えばホース接続部１３、電動送風機１４、電源コード１５及び制御装置１６を備える。
【００１５】
ホース接続部１１（第１接続部）に、空気の吸い込み口１７が形成される。電気掃除機１を掃除機として使用する場合、ホース接続部１１にホース５の他方の端部が接続される。ホース５は、ホース接続部１１に対して着脱可能である。ホース５には、操作パネル８に接続されたリード線（図示せず）が設けられる。このリード線は、ホース５の他方の端部に設けられた端子（図示せず）に接続される。ホース接続部１１は、ホース５が接続された際にホース５の端子に接触する端子受け１８を備える。ホース５がホース接続部１１に接続されることにより、操作パネル８及び端子受け１８が電気的に接続される。端子受け１８は、制御装置１６に電気的に接続される。
【００１６】
ホース接続部１３（第２接続部）に、空気の吹き出し口１９が形成される。電気掃除機１を送風機として使用する場合、ホース接続部１３にホース５の他方の端部が接続される。ホース５は、ホース接続部１３に対して着脱可能である。ホース接続部１３は、ホース５が接続された際にホース５の端子に接触する端子受け２０を備える。ホース５がホース接続部１３に接続されると、操作パネル８及び端子受け２０が電気的に接続される。端子受け２０は、制御装置１６に電気的に接続される。図６は、ホース５をホース接続部１３に接続した状態を示す。図６は、操作体４に送風機用のアタッチメント２１を取り付けた例を示す。
【００１７】
電動送風機１４は、吸い込み口１７から吸い込まれた空気を吹き出し口１９から吹き出させるための気流を発生させる。電動送風機１４が駆動すると、吸い込み口１７から空気が吸い込まれる。吸い込み口１７から吸い込まれた空気は、集塵ユニット９に形成された風路と本体ユニット１０に形成された風路とを通って吹き出し口１９から吹き出される。電動送風機１４は、例えば本体ユニット１０に形成された風路に配置される。
【００１８】
ホース５がホース接続部１１に接続されている場合、電動送風機１４が駆動すると、ヘッド２に形成された開口から外部の空気が吸い込まれる。上記開口から吸い込まれた空気は、ヘッド２、延長管３、操作体４及びホース５を通って吸い込み口１７に達する。この気流に含まれるごみは、集塵ユニット９に形成された風路を通過する際に集塵部１２によって気流から分離される。集塵部１２がごみを分離する方式は、サイクロン方式でも紙パック方式でも良い。一方、ホース５がホース接続部１３に接続されている場合は、電動送風機１４が駆動すると、吸い込み口１７から外部の空気が吸い込まれる。本体６を通って吹き出し口１９に達した空気は、吹き出し口１９からホース５に進入する。
【００１９】
電源コード１５が商用交流電源２２に接続されると、電動送風機１４及び双方向性サイリスタ２３が商用交流電源２２に対して直列に接続される。図５に示す電流センサ２４、電源同期検出回路２５及び双方向性サイリスタ２３は、本体ユニット１０に備えられる。電流センサ２４は、電動送風機１４に流れる電流を検出する。電流センサ２４からの検出信号は制御装置１６に入力される。電源同期検出回路２５は、商用交流電源２２の同期ポイント、即ちゼロクロス点を検出する。電源同期検出回路２５からの検出信号は制御装置１６に入力される。
【００２０】
制御装置１６は、電気掃除機１に備えられた機器を制御する。制御装置１６は、入力される各種信号に基づいて機器の制御を行う。例えば、図５に示す例では、操作パネル８は、強ボタン２６、弱ボタン２７、停止ボタン２８及び表示器２９を備える。強ボタン２６が押されると、強ボタン２６が押されたことを示す信号が制御装置１６に入力される。弱ボタン２７が押されると、弱ボタン２７が押されたことを示す信号が制御装置１６に入力される。停止ボタン２８が押されると、停止ボタン２８が押されたことを示す信号が制御装置１６に入力される。表示器２９は、制御装置１６によって制御される。また、双方向性サイリスタ２３は、制御装置１６によって制御される。双方向性サイリスタ２３は、電動送風機１４を駆動する。電動送風機１４が双方向性サイリスタ２３によって駆動されると、吸い込み口１７から吸い込まれた空気を吹き出し口１９から吹き出させるための気流が発生する。
【００２１】
制御装置１６は、例えば接続検出部３０、計測部３１及び制御部３２を備える。
【００２２】
接続検出部３０（接続検出手段）は、ホース５がホース接続部１３に接続されていることを検出する。接続検出部３０が接続を検出する方法はどのような方法であっても良い。本体ユニット１０は、ホース５がホース接続部１３に接続された際に押されるスイッチ３３を備えても良い。接続検出部３０は、操作パネル８及び端子受け２０の接続を電気的に検出しても良い。
【００２３】
制御部３２は、操作パネル８から入力される信号に基づいて運転を制御する。例えば、制御部３２は、強ボタン２６が押されると強運転を行う。制御部３２は、弱ボタン２７が押されると弱運転を行う。制御部３２は、停止ボタン２８が押されると運転を停止させる。強運転では、電動送風機１４の出力が弱運転での電動送風機１４の出力より高い値に設定される。
【００２４】
また、制御部３２（制御手段）は、接続検出部３０の検出結果に応じて運転を制御する。例えば、制御部３２は、ホース５がホース接続部１３に接続されていることが接続検出部３０によって検出されると、送風機用の制御を行う。送風機用の制御では、制御部３２は、例えば強ボタン２６が押されると第１電力で電動送風機１４を駆動させる。第１電力は、例えば９００Ｗである。制御部３２は、弱ボタン２７が押されると第２電力で電動送風機１４を駆動させる。第２電力は、例えば３００Ｗである。上記第１電力の値及び第２電力の値は一例である。第２電力は第１電力より低い値に設定される。
【００２５】
制御部３２は、ホース５がホース接続部１３に接続されていることが接続検出部３０によって検出されなければ、掃除機用の制御を行う。掃除機用の制御では、制御部３２は、例えば強ボタン２６が押されると第３電力で電動送風機１４を駆動させる。第３電力は、例えば８５０Ｗである。制御部３２は、弱ボタン２７が押されると第４電力で電動送風機１４を駆動させる。第４電力は、例えば３００Ｗである。上記第３電力の値及び第４電力の値は一例である。第４電力は第３電力より低い値に設定される。第３電力は、例えば第１電力より低い値に設定される。第４電力は第２電力と同じ値でなくても良い。
【００２６】
接続検出部３０は、ホース５がホース接続部１１に接続されていることも検出しても良い。かかる場合、制御部３２は、ホース５がホース接続部１１に接続されていることが接続検出部３０によって検出されると、掃除機用の制御を行う。
【００２７】
計測部３１は、時間を計測する。本実施の形態に示す例では、計測部３１は、電気掃除機１が送風機として使用されている時に第１電力で電動送風機１４が駆動されている時間を計測する。また、計測部３１は、第２電力での電動送風機１４の駆動が前回開始された時からの経過時間を計測する。制御部３２は、計測部３１によって計測された時間も考慮して送風機用の制御を行う。以下に、図７も参照し、送風機用の制御について詳しく説明する。図７は、この発明の実施の形態１における電気掃除機１の動作例を示すフローチャートである。図７は、電気掃除機１が送風機として使用される時の動作フローを示す。
【００２８】
利用者は、電気掃除機１を送風機として使用する場合、ホース５をホース接続部１３に接続する。これにより、ホース５がホース接続部１３に接続されていることが接続検出部３０によって検出される。制御部３２は、ホース５がホース接続部１３に接続されていることが接続検出部３０によって検出されると、送風機用の制御を開始する。
【００２９】
制御部３２は、強運転を行うか否かを判定する（Ｓ１０１）。制御部３２は、強ボタン２６が押されていれば強運転を行う。強ボタン２６が押されていなければ、制御部３２は、弱運転を行うか否かを判定する（Ｓ１０２）。制御部３２は、弱ボタン２７が押されていれば弱運転を行う（Ｓ１０３）。例えば、制御部３２は、第２電力（３００Ｗ）で電動送風機１４を駆動させる。
【００３０】
制御部３２は、強ボタン２６が押されると、第２電力での電動送風機１４の駆動を前回開始した時から第２時間が経過したか否かを判定する（Ｓ１０４）。電源コード１５が商用交流電源２２に接続された直後であれば、通常、Ｓ１０４においてＹｅｓの判定がなされる。このため、電源コード１５が商用交流電源２２に接続された直後に強ボタン２６が押されると、制御部３２は、第１電力（９００Ｗ）で電動送風機１４を駆動させる（Ｓ１０５）。
【００３１】
第１電力で電動送風機１４を駆動させると、電動送風機１４の温度が徐々に高くなる。計測部３１は、第１電力での電動送風機１４の駆動が開始されると、第１電力で電動送風機１４が駆動されている時間を計測する。制御部３２は、第１電力での駆動時間が第１時間を経過したか否かを判定する（Ｓ１０６）。第１時間は、例えば５秒に設定される。第１時間は、第１電力で電動送風機１４を駆動させても電動送風機１４の温度上昇が許容範囲に収まる時間に設定される。第１時間が経過するまで、第１電力での駆動が継続される。
【００３２】
第１電力での駆動時間が第１時間を経過すると、制御部３２は、第２電力で電動送風機１４を駆動させる（Ｓ１０７）。計測部３１は、第２電力での電動送風機１４の駆動が開始されると、第２電力での駆動が開始されてからの経過時間を計測する。Ｓ１０７で第２電力での駆動が開始されると、第２時間が経過するまではＳ１０４でＮｏの判定がなされる。このため、Ｓ１０７で第２電力での駆動が開始された直後に利用者が強ボタン２６を押しても、第１電力での駆動は開始されない。第２時間は、例えば３０秒に設定される。第２電力は、電動送風機１４を駆動させても電動送風機１４の温度が低下する値に設定される。第２時間は、第２電力で電動送風機１４を駆動させた時に電動送風機１４の温度が一定の温度まで低下するのに必要な時間に設定される。
【００３３】
Ｓ１０７で第２電力での駆動が開始されてから第２時間が経過した後であれば、利用者が強ボタン２６を押すことによって、第１電力での電動送風機１４の駆動が再び開始される（Ｓ１０５）。
【００３４】
停止ボタン２８が押されると（Ｓ１０８のＹｅｓ）、制御部３２は電動送風機１４を停止させる（Ｓ１０９）。
【００３５】
表１は、制御部３２が表示器２９を制御する具体例を示す。表１は、表示器２９が強ＬＥＤと弱ＬＥＤとを備える例を示す。
【００３６】
【表１】
2017185094.tif 000003
【００３７】
制御部３２は、第１電力で電動送風機１４を駆動させている間、強ＬＥＤを点灯させる。これにより、強運転が行われている旨を表示器２９に表示させる。制御部３２は、第１時間が経過して電動送風機１４の駆動を第２電力に切り替えると、強ＬＥＤを消灯させる。また、制御部３２は、第２電力での駆動を開始した直後から第２時間が経過するまでは、強運転を行うことができない旨を表示するため、弱ＬＥＤを点滅させる。制御部３２は、第２電力での駆動を開始してから第２時間が経過すると、弱ＬＥＤを点滅から点灯に切り替える。これにより、第１電力で電動送風機１４を駆動させることが可能な旨を表示器２９に表示させる。
【００３８】
本実施の形態に示す電気掃除機１では、送風機用の制御において第１電力で電動送風機１４が第１時間連続して駆動されると、第１電力より低い第２電力で電動送風機１４が駆動される。第２電力で電動送風機１４を駆動させると、電動送風機１４の温度は徐々に低くなる。このため、本実施の形態に示す電気掃除機１であれば、送風機として使用する場合に、時間的制限を設けた上で強い風を得ることができる。また、送風機として使用しても電動送風機１４の温度上昇を抑制できる。
【００３９】
本実施の形態に示す例では、送風機用の制御において第１電力で電動送風機１４が第１時間連続して駆動されると、第２時間が経過するまで第１電力で電動送風機１４を駆動させない。このため、電動送風機１４の温度が十分に下がっていない状態で第１電力での駆動が行われることを防止できる。また、第２時間が経過すると、第１電力での駆動が可能なことが表示器２９に表示される。利用者は、表示器２９の表示を見て、強運転を再び行っても良いことを知ることができる。
【００４０】
実施の形態２．
本実施の形態における電気掃除機１は、制御装置１６の一部の機能が実施の形態１で開示した機能と相違する。具体的に、計測部３１（計測手段）は、電気掃除機１が送風機として使用されている時に第１電力で電動送風機１４が駆動された累積時間を計測する。制御部３２は、計測部３１によって計測された累積時間も考慮して、送風機用の制御を行う。以下に、図８も参照し、送風機用の制御について詳しく説明する。図８は、この発明の実施の形態２における電気掃除機１の動作例を示すフローチャートである。図８は、電気掃除機１が送風機として使用される時の動作フローを示す。
【００４１】
制御部３２は、強運転を行うか否かを判定する（Ｓ２０１）。制御部３２は、強ボタン２６が押されていれば強運転を行う。強ボタン２６が押されていなければ、制御部３２は、弱運転を行うか否かを判定する（Ｓ２０２）。制御部３２は、弱ボタン２７が押されていれば弱運転を行う（Ｓ２０３）。例えば、制御部３２は、第２電力（３００Ｗ）で電動送風機１４を駆動させる。
【００４２】
制御部３２は、強ボタン２６が押されると、第２電力での電動送風機１４の駆動を前回開始した時から第２時間が経過したか否かを判定する（Ｓ２０４）。電源コード１５が商用交流電源２２に接続された直後であれば、通常、Ｓ２０４においてＹｅｓの判定がなされる。このため、電源コード１５が商用交流電源２２に接続された直後に強ボタン２６が押されると、制御部３２は、第１電力（９００Ｗ）で電動送風機１４を駆動させる（Ｓ２０５）。
【００４３】
計測部３１は、第１電力での電動送風機１４の駆動が開始されると、第１電力で電動送風機１４が連続で駆動されている時間（連続駆動時間）を計測する。また、計測部３１は、第１電力での電動送風機１４の駆動が開始されると、第１電力で電動送風機１４が駆動された累積時間を計測する。制御部３２は、第１電力での連続駆動時間が第１時間を経過したか否かを判定する（Ｓ２０６）。第１時間は、例えば５秒に設定される。第１時間が経過するまで、第１電力での駆動が継続される。
【００４４】
第１電力での連続駆動時間が第１時間（基準時間）を経過すると、制御部３２は、第２電力で電動送風機１４を駆動させる（Ｓ２０７）。計測部３１は、第２電力での電動送風機１４の駆動が開始されると、第２電力での駆動が開始されてからの経過時間を計測する。Ｓ２０７で第２電力での駆動が開始されると、第２時間が経過するまではＳ２０４でＮｏの判定がなされる。本実施の形態では、第２時間は実施の形態１で示した時間より長い時間に設定される。例えば、第２時間は、１０分に設定される。
【００４５】
Ｓ２０７で第２電力での駆動が開始されてから第２時間が経過するまでの間は、利用者が強ボタン２６を押すと、制御部３２が、第１電力で電動送風機１４が駆動された累積時間が基準時間を超えたか否かを判定する（Ｓ２１０）。計測部３１によって計測された累積時間が基準時間を超えていなければ、制御部３２は、利用者の入力に応じて第１電力での電動送風機１４の駆動を再開させる（Ｓ２０５）。一方、計測部３１によって計測された累積時間が基準時間を超えていれば、制御部３２は、第２電力で電動送風機１４を駆動させる（Ｓ２１１）。
【００４６】
なお、計測部３１によって計測された累積時間は、Ｓ２０４でＹｅｓの判定がなされることによってリセットしても良い。また、Ｓ２０４の判定を行わず、Ｓ２０１でＹｅｓと判定されるとＳ２１０の判定を行っても良い。かかる場合、Ｓ２１０でＮｏと判定されるとＳ２０５の処理に進む。Ｓ２１０でＹｅｓと判定されるとＳ２１１の処理に進む。計測部３１によって計測された累積時間のリセットは、他の条件で行えば良い。例えば、電源コード１５が商用交流電源２２から切り離されると、上記累積時間をリセットする。
【００４７】
停止ボタン２８が押されると（Ｓ２０８のＹｅｓ）、制御部３２は電動送風機１４を停止させる（Ｓ２０９）。
【００４８】
表２は、制御部３２が表示器２９を制御する具体例を示す。表２は、表示器２９が強ＬＥＤと弱ＬＥＤとを備える例を示す。
【００４９】
【表２】
2017185094.tif 000004
【００５０】
制御部３２は、第１電力で電動送風機１４を駆動させている間、強ＬＥＤを点灯させる。これにより、強運転が行われている旨を表示器２９に表示させる。制御部３２は、第１時間が経過して電動送風機１４の駆動を第２電力に切り替えると、強ＬＥＤを消灯させる。また、制御部３２は、第１電力での駆動の累積時間が基準時間を超えるまでは、第２電力で駆動する際に弱ＬＥＤを点灯させる。これにより、第１電力で電動送風機１４を駆動させることが可能な旨を表示器２９に表示させる。一方、制御部３２は、第１電力での駆動の累積時間が基準時間を超えると、第２電力で駆動する際に弱ＬＥＤを点滅させる。これにより、第１電力で電動送風機１４を駆動させることができない旨を表示器２９に表示させる。
【００５１】
本実施の形態で開示しない電気掃除機１の構成、機能及び動作は、実施の形態１で開示した構成、機能及び動作と同様である。
【００５２】
本実施の形態に示す電気掃除機１では、送風機用の制御において第１電力での駆動の累積時間が基準時間を超えると、第１電力より低い第２電力で電動送風機１４が駆動される。このため、本実施の形態に示す電気掃除機１であれば、送風機として使用する場合に、時間的制限を設けた上で強い風を得ることができる。また、送風機として使用しても、電動送風機１４の温度上昇を抑制できる。
【００５３】
本実施の形態に示す例では、第１電力での駆動の累積時間が基準時間を超えると、第１電力で電動送風機１４を駆動させることができないことが表示器２９に表示される。利用者は、表示器２９の表示を見て、強運転を行うことができないことを知ることができる。
【００５４】
実施の形態３．
図９は、この発明の実施の形態３における電気掃除機１の構成例を示す図である。本実施の形態における電気掃除機１は、制御装置１６が補正部３４を備える点で実施の形態２で開示した電気掃除機１と相違する。計測部３１は、送風機用の制御において第１電力で電動送風機１４が駆動された累積時間を計測する。補正部３４（第１補正手段）は、計測部３１によって計測された累積時間を補正する。以下に、図１０も参照し、補正部３４の機能について詳しく説明する。図１０は、計測部３１によって計測された累積時間の補正例を示すフローチャートである。なお、本実施の形態における電気掃除機１は、実施の形態２で開示した動作と同様の動作を行う。本実施の形態では、制御部３２は、Ｓ２１０において補正部３４によって補正された累積時間が基準時間を超えたか否かを判定する。
【００５５】
図１０は、電気掃除機１が送風機として使用される時の動作フローを示す。計測部３１は、電動送風機１４の駆動が第１電力で行われていれば（Ｓ３０１のＹｅｓ）、累積値に１を加算する加算タイミングであるか否かを判定する（Ｓ３０２）。即ち、計測部３１は、前回の加算から１秒が経過したか否かを判定する。１秒が経過した、即ち加算タイミングであれば、計測部３１は、現在の累積値に１を加算する（Ｓ３０３）。
【００５６】
補正部３４は、電動送風機１４の駆動が第２電力で行われていれば（Ｓ３０４のＹｅｓ）、累積値からの減算を行う第１減算タイミングであるか否かを判定する（Ｓ３０５）。例えば、第２電力での駆動が４秒経過する毎に累積値から１を減算する場合、補正部３４は、前回の減算から４秒が経過したか否かを判定する。４秒が経過した、即ち第１減算タイミングであれば、補正部３４は、現在の累積値から１を減算する（Ｓ３０６）。なお、上記第１減算タイミング及び第１減算タイミングでの減算値は一例である。
【００５７】
補正部３４は、電動送風機１４の駆動が第１電力及び第２電力で行われていなければ（Ｓ３０４のＮｏ）、累積値からの減算を行う第２減算タイミングであるか否かを判定する（Ｓ３０７）。例えば、電動送風機１４が２秒間停止される度に累積値から１を減算する場合、補正部３４は、前回の減算から２秒が経過したか否かを判定する。２秒が経過した、即ち第２減算タイミングであれば、補正部３４は、現在の累積値から１を減算する（Ｓ３０８）。なお、上記第２減算タイミング及び第２減算タイミングでの減算値は一例である。第２減算タイミング及び第２減算タイミングでの減算値を第１減算タイミング及び第１減算タイミングでの減算値と同じ値にしても良い。
【００５８】
本実施の形態で開示しない電気掃除機１の構成、機能及び動作は、実施の形態２で開示した構成、機能及び動作と同様である。
【００５９】
本実施の形態に示す電気掃除機１では、送風機用の制御において第２電力で電動送風機１４が駆動された時間に応じて、計測部３１によって計測された累積時間が補正される。また、電動送風機１４が停止している時間に応じて、計測部３１によって計測された累積時間が補正される。このため、電動送風機１４の温度上昇を抑制した上で、第１電力で電動送風機１４を駆動できる時間を適切に延ばすことができる。
【００６０】
実施の形態４．
図１１は、この発明の実施の形態４における電気掃除機１の構成例を示す図である。本実施の形態における電気掃除機１は、温度センサ３５を備える点及び制御装置１６が補正部３６を備える点で実施の形態２で開示した電気掃除機１と相違する。温度センサ３５（温度検出手段）は、電動送風機１４の温度を検出する手段の一例である。補正部３６は、Ｓ２１０において計測部３１によって計測された累積時間と比較される基準時間を補正する。表３は、補正部３６による基準時間の補正例を示す。
【００６１】
【表３】
2017185094.tif 000005
【００６２】
補正部３６（第２補正手段）は、温度センサ３５によって検出された温度に基づいて基準時間を補正する。例えば、補正部３６は、温度センサ３５によって検出された温度が高くなるに従って基準時間が段階的に短くなるようにする。
【００６３】
本実施の形態で開示しない電気掃除機１の構成、機能及び動作は、実施の形態２で開示した構成、機能及び動作と同様である。電気掃除機１は、制御装置１６に実施の形態３で開示した補正部３４の機能を備えても良い。
【００６４】
図１２は、表示器２９の表示例を示す図である。制御部３２は、図１２に示すように、第１電力で電動送風機１４を駆動させることが可能な時間を表示器２９に表示させても良い。本実施の形態に示す例では、電動送風機１４の温度によって第１電力で駆動可能な時間が変わる。図１２に示すような表示が行われることにより、利用者は強運転を行うことができる残り時間を知ることができる。なお、実施の形態２及び３に示す電気掃除機１に同様の機能を備えても良い。
【００６５】
図１３は、操作パネル８の例を示す図である。図１３は、電気掃除機１を送風機として使用する際に、第１電力で電動送風機１４を連続して駆動させる時間を複数の中から選択することができる操作パネル８の例を示す。図１３に示す操作パネル８は、例えば強運転を５秒間行うボタン８ａと１５秒間行うボタン８ｂとを備える。実施の形態２から４に示すように、計測部３１によって計測された累積時間に応じて強運転の可否を判断する場合は、図１３に示すような操作パネル８を備えても良い。
【００６６】
各実施の形態において制御装置１６が備える各部は、制御装置１６が有する機能を示す。図１４は、制御装置１６のハードウェア構成を示す図である。制御装置１６は、ハードウェア資源として、例えばプロセッサ３７とメモリ３８とを含む処理回路を備える。制御装置１６は、メモリ３８に記憶されたプログラムをプロセッサ３７によって実行することにより、各機能を実現する。制御装置１６が有する各機能の一部又は全部をハードウェアによって実現しても良い。
【符号の説明】
【００６７】
１  電気掃除機、  ２  ヘッド、  ３  延長管、  ４  操作体、  ５  ホース、  ６  本体、  ７  ハンドル、  ８  操作パネル、  ９  集塵ユニット、  １０  本体ユニット、  １１  ホース接続部（第１接続部）、  １２  集塵部、  １３  ホース接続部（第２接続部）、  １４  電動送風機、  １５  電源コード、  １６  制御装置、  １７  吸い込み口、  １８  端子受け、  １９  吹き出し口、  ２０  端子受け、  ２１  アタッチメント、  ２２  商用交流電源、  ２３  双方向性サイリスタ、  ２４  電流センサ、  ２５  電源同期検出回路、  ２６  強ボタン、  ２７  弱ボタン、  ２８  停止ボタン、  ２９  表示器、  ３０  接続検出部（接続検出手段）、  ３１  計測部（計測手段）、  ３２  制御部（制御手段）、  ３３  スイッチ、  ３４  補正部（第１補正手段）、  ３５  温度センサ（温度検出手段）、  ３６  補正部（第２補正手段）、  ３７  プロセッサ、  ３８  メモリ
【図１】
2017185094.tif 000006
【図２】
2017185094.tif 000007
【図３】
2017185094.tif 000008
【図４】
2017185094.tif 000009
【図５】
2017185094.tif 000010
【図６】
2017185094.tif 000011
【図７】
2017185094.tif 000012
【図８】
2017185094.tif 000013
【図９】
2017185094.tif 000014
【図１０】
2017185094.tif 000015
【図１１】
2017185094.tif 000016
【図１２】
2017185094.tif 000017
【図１３】
2017185094.tif 000018
【図１４】
2017185094.tif 000019